(57)【要約】【課題】  演奏者が歌いやすいようにガイド音声の再生特性を設定し得る音楽再生装置を提供する。【解決手段】  演奏曲の残響に基づいてガイド音声の残響を設定するガイド音声残響設定手段４８と、演奏曲の音量等に基づいてガイド音声の音量を設定するガイド音声音量設定手段５４と、演奏曲の周波数特性等に基づいてガイド音声の再生周波数特性を設定するガイド音声周波数特性設定手段６０とを含むことから、演奏曲及びガイド音声にメリハリをつけたり、ガイド音声が打ち消されるのを防止すること等により、聞き取りやすいガイド音声を再生することができる。すなわち、演奏者が歌いやすいようにガイド音声の再生特性を設定し得るカラオケ装置１０を提供することができる。【選択図】  図４
2005037845.tif 000002
【特許請求の範囲】
【請求項１】
複数の演奏曲のうちから選択された所望の演奏曲を再生させるのと並行して、該演奏曲の歌詞を表すガイド音声を合成して再生させる音楽再生装置であって、
前記演奏曲の残響に基づいて前記ガイド音声の残響を設定する残響設定手段を含むことを特徴とする音楽再生装置。
【請求項２】
複数の演奏曲のうちから選択された所望の演奏曲を再生させるのと並行して、該演奏曲の歌詞を表すガイド音声を合成して再生させる音楽再生装置であって、
前記演奏曲の音量に基づいて前記ガイド音声の音量を設定する音量設定手段を含むことを特徴とする音楽再生装置。
【請求項３】
複数の演奏曲のうちから選択された所望の演奏曲を再生させるのと並行して、該演奏曲の歌詞を表すガイド音声を合成して再生させる音楽再生装置であって、
周囲の騒音を検出する騒音検出装置と、
該騒音検出装置により検出される騒音の音量に基づいて前記ガイド音声の音量を設定する音量設定手段と
を、含むことを特徴とする音楽再生装置。
【請求項４】
車速を検出する車速センサを含む車載用音楽再生装置であり、前記音量設定手段は、該車速センサにより検出される車速に基づいて前記ガイド音声の音量を設定するものである請求項２又は３の音楽再生装置。
【請求項５】
複数の演奏曲のうちから選択された所望の演奏曲を再生させるのと並行して、該演奏曲の歌詞を表すガイド音声を合成して再生させる音楽再生装置であって、
実際に再生された演奏曲の周波数特性を分析する周波数特性分析手段と、
該周波数特性分析手段により分析される該演奏曲の周波数特性に基づいて前記ガイド音声の再生周波数特性を設定する周波数特性設定手段と
を、含むことを特徴とする音楽再生装置。
【請求項６】
複数の演奏曲のうちから選択された所望の演奏曲を再生させるのと並行して、該演奏曲の歌詞を表すガイド音声を合成して再生させる音楽再生装置であって、
周囲の騒音を検出する騒音検出装置と、
該騒音検出装置により検出される騒音の周波数特性を分析する周波数特性分析手段と、
該周波数特性分析手段により分析される該騒音の周波数特性に基づいて前記ガイド音声の再生周波数特性を設定する周波数特性設定手段と
を、含むことを特徴とする音楽再生装置。
【発明の詳細な説明】
【技術分野】
【０００１】
本発明は、合成音声による歌詞ガイド機能を有する音楽再生装置に関し、特に、そのガイド音声の再生特性を設定する技術に関する。
【背景技術】
【０００２】
複数の演奏曲のうちから選択された所望の演奏曲を再生させるのと並行して、その演奏曲の歌詞を表すガイド音声を合成して再生させる音楽再生装置が知られている。例えば、特許文献１に記載された端末装置がそれである。この端末装置によれば、前記演奏曲の演奏情報内にエクスクルーシブ情報として挿入された音声シンボル情報に基づき、その演奏情報を先読みしてガイド音声を合成する音声合成手段を含むことから、その演奏情報に応じてガイド音声のピッチ、強弱、及びイントネーション等を変化させられる。
【０００３】
【特許文献１】特開２００１−３５６７８４号公報
【０００４】
しかし、前記従来の技術は、あくまで先読みした演奏情報に応じてガイド音声を変化させるものであり、前記演奏曲の残響や音量、実際に再生された演奏曲の周波数特性、或いは周囲の騒音等の要因によっては聞き取りにくいガイド音声となる可能性があった。すなわち、演奏者が歌いやすいようにガイド音声の再生特性を設定し得る音楽再生装置は、未だ開発されていないのが現状である。
【発明の開示】
【発明が解決しようとする課題】
【０００５】
本発明は、以上の事情を背景として為されたものであり、その目的とするところは、演奏者が歌いやすいようにガイド音声の再生特性を設定し得る音楽再生装置を提供することにある。
【課題を解決するための手段】
【０００６】
斯かる目的を達成するために、本第１発明の要旨とするところは、複数の演奏曲のうちから選択された所望の演奏曲を再生させるのと並行して、その演奏曲の歌詞を表すガイド音声を合成して再生させる音楽再生装置であって、前記演奏曲の残響に基づいて前記ガイド音声の残響を設定する残響設定手段を含むことを特徴とするものである。
【０００７】
また、前記目的を達成するために、本第２発明の要旨とするところは、複数の演奏曲のうちから選択された所望の演奏曲を再生させるのと並行して、その演奏曲の歌詞を表すガイド音声を合成して再生させる音楽再生装置であって、前記演奏曲の音量に基づいて前記ガイド音声の音量を設定する音量設定手段を含むことを特徴とするものである。
【０００８】
また、前記目的を達成するために、本第３発明の要旨とするところは、複数の演奏曲のうちから選択された所望の演奏曲を再生させるのと並行して、その演奏曲の歌詞を表すガイド音声を合成して再生させる音楽再生装置であって、周囲の騒音を検出する騒音検出装置と、その騒音検出装置により検出される騒音の音量に基づいて前記ガイド音声の音量を設定する音量設定手段を含むことを特徴とするものである。
【０００９】
また、前記目的を達成するために、本第４発明の要旨とするところは、複数の演奏曲のうちから選択された所望の演奏曲を再生させるのと並行して、その演奏曲の歌詞を表すガイド音声を合成して再生させる音楽再生装置であって、実際に再生された演奏曲の周波数特性を分析する周波数特性分析手段と、その周波数特性分析手段により分析されるその演奏曲の周波数特性に基づいて前記ガイド音声の再生周波数特性を設定する周波数特性設定手段とを、含むことを特徴とするものである。
【００１０】
また、前記目的を達成するために、本第５発明の要旨とするところは、複数の演奏曲のうちから選択された所望の演奏曲を再生させるのと並行して、その演奏曲の歌詞を表すガイド音声を合成して再生させる音楽再生装置であって、周囲の騒音を検出する騒音検出装置と、その騒音検出装置により検出される騒音の周波数特性を分析する周波数特性分析手段と、その周波数特性分析手段により分析されるその騒音の周波数特性に基づいて前記ガイド音声の再生周波数特性を設定する周波数特性設定手段とを、含むことを特徴とするものである。
【発明の効果】
【００１１】
前記第１発明によれば、前記演奏曲の残響に基づいて前記ガイド音声の残響を設定する残響設定手段を含むことから、例えば、前記演奏曲の残響が強いほど前記ガイド音声の残響を弱くすることにより、その演奏曲及びガイド音声にメリハリをつけることができ、聞き取りやすいガイド音声を再生することができる。すなわち、演奏者が歌いやすいようにガイド音声の再生特性を設定し得る音楽再生装置を提供することができる。
【００１２】
また、前記第２発明によれば、前記演奏曲の音量に基づいて前記ガイド音声の音量を設定する音量設定手段を含むことから、例えば、前記演奏曲の音量が大きいほど前記ガイド音声の音量もまた大きくすることにより、そのガイド音声が演奏曲により打ち消されるのを防止することができ、聞き取りやすいガイド音声を再生することができる。すなわち、演奏者が歌いやすいようにガイド音声の再生特性を設定し得る音楽再生装置を提供することができる。
【００１３】
また、前記第３発明によれば、周囲の騒音を検出する騒音検出装置と、その騒音検出装置により検出される騒音の音量に基づいて前記ガイド音声の音量を設定する音量設定手段とを、含むことから、例えば、前記騒音の音量が大きいほど前記ガイド音声の音量もまた大きくすることにより、そのガイド音声が騒音により打ち消されるのを防止できる。すなわち、演奏者が歌いやすいようにガイド音声の再生特性を設定し得る音楽再生装置を提供することができる。
【００１４】
また、前記第２発明、第３発明は、好適には、車速を検出する車速センサを含む車載用音楽再生装置であり、前記音量設定手段は、その車速センサにより検出される車速に基づいて前記ガイド音声の音量を設定するものである。このようにすれば、例えば、前記車速が高いほど前記ガイド音声の音量を大きくすることにより、そのガイド音声が風切り音等により打ち消されるのを防止できるという利点がある。
【００１５】
また、前記第４発明によれば、実際に再生された演奏曲の周波数特性を分析する周波数特性分析手段と、その周波数特性分析手段により分析されるその演奏曲の周波数特性に基づいて前記ガイド音声の再生周波数特性を設定する周波数特性設定手段とを、含むことから、例えば、前記演奏曲の周波数特性において比較的弱い周波数帯域を前記ガイド音声の再生周波数特性においては増幅させることにより、その演奏曲及びガイド音声にメリハリをつけることができ、聞き取りやすいガイド音声を再生することができる。すなわち、演奏者が歌いやすいようにガイド音声の再生特性を設定し得る音楽再生装置を提供することができる。
【００１６】
また、前記第５発明によれば、周囲の騒音を検出する騒音検出装置と、その騒音検出装置により検出される騒音の周波数特性を分析する周波数特性分析手段と、その周波数特性分析手段により分析されるその騒音の周波数特性に基づいて前記ガイド音声の再生周波数特性を設定する周波数特性設定手段とを、含むことから、例えば、前記騒音の周波数特性において比較的弱い周波数帯域を前記ガイド音声の再生周波数特性においては増幅させることにより、そのガイド音声を周囲の騒音から際だたせることができ、聞き取りやすいガイド音声を再生することができる。すなわち、演奏者が歌いやすいようにガイド音声の再生特性を設定し得る音楽再生装置を提供することができる。
【実施例】
【００１７】
以下、本発明の好適な実施例を図面に基づいて詳細に説明する。
【００１８】
図１は、本発明が適用された音楽再生装置の一例であるカラオケ装置１０の構成を示すブロック線図である。このカラオケ装置１０は、中央演算処理装置であるＣＰＵ１２、ＲＯＭ１４、ＲＡＭ１６、記憶装置であるハードディスク１８、及びターミナルアダプタ２０と、入力装置２２と、カラオケ演奏再生装置２４と、ガイド音声再生装置２６と、エフェクタ２８と、アンプ３０と、スピーカ３２と、騒音検出装置として機能するマイク３４と、音量・周波数解析装置３６とを、備えて構成されている。また、好適には、車速を検出する車速センサ３８と、車両の窓の開閉を検出する窓センサ４０とが設けられている。すなわち、上記カラオケ装置１０は、好適には、カーオーディオ等に組み込まれる車載用カラオケ装置である。
【００１９】
上記ＣＰＵ１２は、上記ＲＯＭ１４に記憶された所定のプログラムに基づいて電子情報を処理・制御する所謂コンピュータであり、ユーザ（カラオケ装置１０の利用者）により所定のカラオケ演奏曲が選曲された場合、上記ハードディスク１８から上記ＲＡＭ１６に選曲された演奏曲のカラオケ情報等を読み出したり、カラオケ演奏が進行するのに応じてそのＲＡＭ１６から上記カラオケ演奏再生装置２４へ演奏情報を送ったり、上記ガイド音声再生装置２６へガイド音声再生情報（メタイベント情報）を送る等の基本的な制御を実行する。
【００２０】
前記入力装置２２は、ユーザが歌いたいカラオケ演奏曲を選択したり、演奏曲の音程を調整したり、演奏と歌との音量バランスを調整したり、その他、残響（エコー）、音量、トーン等の各種調整を行うための操作釦（スイッチ）或いはツマミを備えた入力装置である。
【００２１】
図２は、前記演奏曲のカラオケ情報を例示する図である。この図２に示すように、前記演奏曲のカラオケ情報は、例えば、ＭＩＤＩイベント情報、システムエクスクルーシブ情報、及びメタイベント情報から成る。このＭＩＤＩイベント情報及びシステムエクスクルーシブ情報は、ＭＩＤＩ（Musical Instrument Digital Interface）形式の音楽データであり、カラオケ演奏に際して前記カラオケ演奏再生装置２４へ供給される。また、上記メタイベント情報は、ＭＩＤＩ音源によっては読みとられないオーサリングに関する付帯情報である。図３は、前記ハードディスク１８に設けられたカラオケデータベースを説明する図である。この図３に示すように、ガイド音声のテキスト、再生タイミング、再生速度、イントネーション、音声の高さ、音量、音質、及び音声の性別等から成るガイド音声再生情報は、上記メタイベント情報としてカラオケデータベースに記憶される。
【００２２】
図１に戻って、前記カラオケ演奏再生装置２４は、前記ハードディスク１８から読み出されて送られてくる演奏曲の演奏情報に基づき、楽器の演奏信号等の音楽信号を生成するＭＩＤＩ音源等の音楽信号生成装置であり、生成された音楽信号は、アナログ信号に変換されて前記アンプ３０へ送られる。また、前記ガイド音声再生装置２６は、前記ハードディスク１８から読み出されて送られてくるガイド音声再生情報に基づき、その演奏曲の歌詞を表すガイド音声信号を合成する音声合成装置であり、合成されたガイド音声信号は、アナログ信号に変換されて前記エフェクタ２８へ送られる。
【００２３】
前記エフェクタ２８は、前記ガイド音声再生装置２６から送られてくるガイド音声（アナログ信号）の残響を制御すると共に、複数の周波数帯域毎のゲイン（単位デジベル：ｄＢ）すなわち音圧レベルを変更して前記アンプ３０へ送る。そのアンプ３０では、前記カラオケ演奏再生装置２４及びエフェクタ２８から送られてきたアナログ信号がミキシングされ、それらの信号が電気的に増幅される。そして、そのミキシングされた音が前記スピーカ３２から出力される。
【００２４】
前記音量・周波数解析装置３６は、前記カラオケ演奏再生装置２４により再生される演奏曲や、前記マイク３４から入力される周囲の騒音の音量を検出して、その検出結果を前記ＣＰＵ１２へ送る。また、よく知られた周波数解析アルゴリズムに従って、前記カラオケ演奏再生装置２４により再生される演奏曲や、前記マイク３４から入力される周囲の騒音における複数の周波数帯域毎のゲインすなわち音圧レベルを示す周波数特性を解析して、その解析結果を前記ＣＰＵ１２へ送る。
【００２５】
前記ターミナルアダプタ２０は、前記カラオケ装置１０を公衆電話回線、有線放送用ケーブル、又は光ファイバ等による有線或いは無線の通信回線４２に接続するための装置である。前記カラオケ装置１０は、上記通信回線４２を介して図示しないカラオケサービス提供会社のホストサーバに接続されており、各カラオケ装置１０によって常に新しい曲が演奏可能とされるように、随時新曲のカラオケ情報等が上記通信回線４２を介してダウンロードされ、前記ハードディスク１８のカラオケデータベース等に記憶されるようになっている。すなわち、前記カラオケ装置１０は、電気通信回線を通じて各種情報の送受信を実行し得る通信カラオケ装置である。
【００２６】
図４は、前記ＣＰＵ１２によるガイド音声再生機能の要部を説明する機能ブロック線図である。この図４に示す演奏曲再生手段４４は、前記カラオケ演奏再生装置２４を制御することにより、前記演奏情報に基づいて演奏曲を再生する。演奏曲残響検出手段４６は、上記演奏曲再生手段４４により再生される演奏曲の残響（エコー）を検出する。この演奏曲残響検出手段４６は、実際に再生される演奏曲の残響を検出するものであってもよいし、前記演奏情報における残響設定を読み込むものであっても構わない。ガイド音声残響設定手段４８は、前記エフェクタ２８を制御することにより、上記演奏曲残響検出手段４６により検出される演奏曲の残響に基づいて、前記ガイド音声再生装置２６により再生されるガイド音声が聞き取りやすくなるようにその残響を異なる値に設定する。好適には、前記演奏曲の残響が強いほど前記ガイド音声の残響を弱く乃至は零に設定する。
【００２７】
演奏曲音量検出手段５０は、前記音量・周波数解析装置３６を制御することにより、上記演奏曲再生手段４４により再生される演奏曲の音量を検出する。騒音音量検出手段５２は、前記音量・周波数解析装置３６を制御することにより、前記マイク３４から入力される周囲の騒音の音量を検出する。ガイド音声音量設定手段５４は、上記演奏曲音量検出手段５０により検出される演奏曲の音量、騒音音量検出手段５２により検出される騒音の音量、車速センサ３８により検出される車速、及び窓センサ４０により検出される窓の開閉に基づいて、前記ガイド音声再生装置２６により再生されるガイド音声が聞き取りやすくなるようにその音量を設定する。好適には、前記演奏曲の音量や、騒音の音量が大きいほどガイド音声の音量もまた大きく設定する。また、好適には、前記車速が高いほどガイド音声の音量を大きく設定する。また、好適には、前記車速が比較的低く且つ窓が開いている場合には音量を所定量だけ小さく乃至は零に設定し、前記車速が比較的高く且つ窓が開いている場合には音量を所定量だけ大きく設定する。
【００２８】
演奏曲周波数特性分析手段５６は、前記音量・周波数特性解析装置３６を制御することにより、前記演奏曲再生手段４４により再生される演奏曲の周波数特性を分析（解析）する。具体的には、その演奏曲における複数の周波数帯域毎のゲインを示す周波数特性を分析する。騒音周波数特性分析手段５８は、前記音量・周波数特性解析装置３６を制御することにより、前記マイク３４から入力される周囲の騒音の周波数特性を分析する。具体的には、その騒音における複数の周波数帯域毎のゲインを示す周波数特性を分析する。ガイド音声周波数特性設定手段６０は、前記エフェクタ２８を制御することにより、上記演奏曲周波数特性分析手段５６により分析される演奏曲の周波数特性及び騒音周波数特性分析手段５８により分析される騒音の周波数特性に基づいて、前記ガイド音声再生装置２６により再生されるガイド音声が聞き取りやすくなるようにその再生周波数特性すなわち複数の周波数帯域毎のゲインを設定する。図６は、このガイド音声周波数特性設定手段６０について説明する図であり、破線は前記演奏曲の周波数特性及び騒音の周波数特性の平均値を、実線はそれに応じて設定されるガイド音声の再生周波数特性の理想値を示す。この図６に示すように、上記ガイド音声周波数特性設定手段６０は、好適には、前記演奏曲の周波数特性や、騒音の周波数特性において比較的弱い周波数帯域を前記ガイド音声の再生周波数特性においては増幅させるように設定する。そして、ガイド音声再生手段６２は、前記ガイド音声再生装置２６を制御することにより、前記ガイド音声残響設定手段４８による残響設定、ガイド音声音量設定手段５４による音量設定、及びガイド音声周波数特性設定手段６０による再生周波数特性設定にて、前記ガイド音声再生情報に基づいてガイド音声を再生する。
【００２９】
図５は、前記カラオケ装置１０のＣＰＵ１２によるガイド音声再生制御をを説明するフローチャートであり、所定の周期で繰り返し実行されるものである。
【００３０】
先ず、ステップ（以下、ステップを省略する）Ｓ１において、前記カラオケデータベースからカラオケ情報が前記ＲＡＭ１６へ読み出される。次に、前記演奏曲再生手段４４に対応するＳ２において、Ｓ１にて読み出されたカラオケ情報のＭＩＤＩデータに基づいて前記カラオケ演奏再生装置２４により演奏曲が再生される。次に、前記演奏曲残響検出手段４６に対応するＳ３において、Ｓ２にて再生された演奏曲の残響が検出される。次に、前記ガイド音声残響設定手段４８に対応するＳ４において、前記エフェクタ２８が制御されることにより、Ｓ３にて検出された演奏曲の残響に基づいてガイド音声の残響が設定される。次に、前記演奏曲音量検出手段５０に対応するＳ５において、前記音量・周波数解析装置３６が制御されることにより、Ｓ２にて再生された演奏曲の音量が検出される。次に、前記騒音音量検出手段５２に対応するＳ６において、前記音量・周波数解析装置３６が制御されることにより、前記マイク３４から入力された周囲の騒音の音量が検出される。次に、Ｓ７において、前記車速センサ３８により車速が検出される。次に、Ｓ８において、前記窓センサ４０により窓の開閉が検出される。次に、前記ガイド音声音量設定手段５４に対応するＳ９において、Ｓ５にて検出された演奏曲の音量、Ｓ６にて検出された騒音の音量、Ｓ７にて検出された車速、及びＳ８にて検出された窓の開閉に基づいてガイド音声の音量が設定される。次に、前記演奏曲周波数特性分析手段５６に対応するＳ１０において、前記音量・周波数解析装置３６が制御されることにより、Ｓ２にて再生された演奏曲の周波数特性が分析される。次に、前記騒音周波数特性分析手段５８に対応するＳ１１において、前記音量・周波数解析装置３６が制御されることにより、前記マイク３４から入力された周囲の騒音の周波数特性が分析される。次に、前記ガイド音声周波数特性設定手段６０に対応するＳ１２において、前記エフェクタ２８が制御されることにより、Ｓ１０にて分析された演奏曲の周波数特性及びＳ１１にて分析された騒音の周波数特性に基づいてガイド音声の再生周波数特性が設定される。そして、前記ガイド音声再生手段６２に対応するＳ１３において、前記ガイド音声再生装置２６が制御されることにより、Ｓ４における残響設定、Ｓ５における音量設定、及びＳ１２における再生周波数特性設定にて、前記ガイド音声再生情報に基づいてガイド音声が再生された後、本ルーチンが終了させられる。
【００３１】
このように、本実施例によれば、前記演奏曲の残響に基づいて前記ガイド音声の残響を設定するガイド音声残響設定手段４８（Ｓ４）を含むことから、その演奏曲の残響が強いほど前記ガイド音声の残響を弱くすることにより、その演奏曲及びガイド音声にメリハリをつけることができ、聞き取りやすいガイド音声を再生することができる。また、それにより演奏曲及びガイド音声全体の音量が大きくなり過ぎるのを防止できるという利点がある。すなわち、演奏者が歌いやすいようにガイド音声の再生特性を設定し得るカラオケ装置１０を提供することができる。
【００３２】
また、前記演奏曲の音量に基づいて前記ガイド音声の音量を設定するガイド音声音量設定手段５４（Ｓ９）を含むことから、その演奏曲の音量が大きいほど前記ガイド音声の音量もまた大きくすることにより、そのガイド音声が演奏曲により打ち消されるのを防止することができ、聞き取りやすいガイド音声を再生することができるという利点がある。
【００３３】
また、周囲の騒音を検出する騒音検出装置として機能するマイク３４と、そのマイク３４により検出される騒音の音量に基づいて前記ガイド音声の音量を設定するガイド音声音量設定手段５４とを、含むことから、その騒音の音量が大きいほど前記ガイド音声の音量もまた大きくすることにより、そのガイド音声が騒音により打ち消されるのを防止できるという利点がある。
【００３４】
また、車速を検出する車速センサ３８を含み、前記ガイド音声音量設定手段５４は、その車速センサ３８により検出される車速に基づいて前記ガイド音声の音量を設定するものであるため、その車速が高いほど前記ガイド音声の音量を大きくすることにより、そのガイド音声が風切り音等により打ち消されるのを防止できるという利点がある。
【００３５】
また、窓の開閉を検出する窓センサ４０を含み、前記ガイド音声音量設定手段５４は、その窓センサ４０により検出される窓の開閉に基づいて前記ガイド音声の音量を設定するものであるため、前記車速が比較的低く且つ窓が開いている場合には前記ガイド音声の音量を所定量だけ小さく設定することにより、窓からガイド音声が漏れて周囲に迷惑をかけるのを防止することができるという利点がある。また、前記車速が比較的高く且つ窓が開いている場合には音量を所定量だけ大きく設定することにより、窓から吹き込む風の音によりガイド音声が打ち消されるのを防止できるという利点がある。
【００３６】
また、実際に再生された演奏曲の周波数特性を分析する演奏曲周波数特性分析手段５６（Ｓ１０）と、その演奏曲周波数特性分析手段５６により分析されるその演奏曲の周波数特性に基づいて前記ガイド音声の再生周波数特性を設定するガイド音声周波数特性設定手段６０（Ｓ１２）とを、含むことから、その演奏曲の周波数特性において比較的弱い周波数帯域を前記ガイド音声の再生周波数特性においては増幅させることにより、その演奏曲及びガイド音声にメリハリをつけることができ、聞き取りやすいガイド音声を再生することができるという利点がある。また、それにより演奏曲及びガイド音声全体の音量が大きくなり過ぎるのを防止できるという利点がある。
【００３７】
また、前記マイク３４により検出される騒音の周波数特性を分析する騒音周波数特性分析手段５８（Ｓ１１）と、その騒音周波数特性分析手段５８により分析されるその騒音の周波数特性に基づいて前記ガイド音声の再生周波数特性を設定するガイド音声周波数特性設定手段６０とを、含むことから、その騒音の周波数特性において比較的弱い周波数帯域を前記ガイド音声の再生周波数特性においては増幅させることにより、そのガイド音声を周囲の騒音から際だたせることができ、聞き取りやすいガイド音声を再生することができるという利点がある。また、それによりびガイド音声の音量が大きくなり過ぎるのを防止できるという利点がある。
【００３８】
以上、本発明の好適な実施例を図面に基づいて詳細に説明したが、本発明はこれに限定されるものではなく、更に別の態様においても実施される。
【００３９】
例えば、前述の実施例において、前記エフェクタ２８及び音量・周波数解析装置３６は、前記ＣＰＵ１２とは別の装置であり、そのＣＰＵ１２は、それらエフェクタ２８及び音量・周波数解析装置３６を制御することにより図４及び図５に示すガイド音声再生制御を実行するものであったが、それらエフェクタ２８及び音量・周波数解析装置３６は必ずしも設けられていなくともよく、前記ＣＰＵ１２に予めプログラムされた残響・周波数特性設定処理機能や、音量・周波数解析処理機能に置き換えられてもよい。
【００４０】
また、前述の実施例において、前記カラオケ装置１０は、前記ガイド音声残響設定手段４８、ガイド音声音量設定手段５４、及びガイド音声周波数特性設定手段６０を含むものであったが、これらの制御機能は必ずしも全てが設けられていなくともよく、少なくとも１つが設けられていれば、本発明の一応の効果を奏する。
【００４１】
また、前述の実施例において、前記ガイド音声音量設定手段５４は、演奏曲の音量、騒音の音量、車速、及び窓の開閉に基づいてガイド音声の音量を設定するものであったが、それらのうち何れかに基づいてガイド音声の音量を設定するものであっても構わない。
【００４２】
また、前述の実施例において、前記ガイド音声周波数特性設定手段６０は、演奏曲の周波数特性及び騒音の周波数特性に基づいてガイド音声の再生周波数特性を設定するものであったが、何れか一方に基づいてガイド音声の再生周波数特性を設定するものであっても構わない。
【００４３】
また、前述の実施例において、前記カラオケ装置１０は、カーオーディオ等に組み込まれる車載用カラオケ装置であったが、それらのセンサは必ずしも設けられていなくともよい。すなわち、本発明は、家庭用カラオケ装置、携帯用ハンディカラオケ装置、視覚障害者用カラオケ装置、携帯電話を用いたカラオケサービス、及び家庭用ゲーム端末を用いたカラオケサービス等にもまた好適に適用されるものである。
【００４４】
その他、一々例示はしないが、本発明は、その趣旨を逸脱しない範囲内において種々の変更が加えられて実施されるものである。
【図面の簡単な説明】
【００４５】
【図１】本発明が適用された音楽再生装置の一例であるカラオケ装置の構成を示すブロック線図である。
【図２】図３のカラオケデータベースに記憶されるカラオケ情報を例示する図である。
【図３】図１のハードディスクに設けられたカラオケデータベースを説明する図である。
【図４】図１のカラオケ装置のＣＰＵによるガイド音声再生機能の要部を説明する機能ブロック線図である。
【図５】図１のカラオケ装置のＣＰＵによるガイド音声再生制御を説明するフローチャートである。
【図６】図４のガイド音声周波数特性設定手段について説明する図である。
【符号の説明】
【００４６】
１０：カラオケ装置（音楽再生装置）
３４：マイク（騒音検出装置）
３８：車速センサ
４８：ガイド音声残響設定手段
５４：ガイド音声音量設定手段
５６：演奏曲周波数特性分析手段
５８：騒音周波数特性分析手段
６０：ガイド音声周波数特性設定手段
【図１】
2005037845.tif 000003
【図２】
2005037845.tif 000004
【図３】
2005037845.tif 000005
【図４】
2005037845.tif 000006
【図５】
2005037845.tif 000007
【図６】
2005037845.tif 000008